(57)【要約】【課題】運送手段の搭乗者の便宜に合わせて搭乗者に多様な映像情報を提供できる運送手段用表示装置を提供する。【解決手段】運送手段用表示装置は、運送手段用フレーム及びベンディング制御部を含む。前記運送手段用フレームは、ベンディングされた状態で複数の座席の間に設けられ、映像を表示する。前記ベンディング制御部は、前記運送手段用フレームのベンディングを制御する。【選択図】図５Ｃ
2016159903.tif 000002
【特許請求の範囲】
【請求項１】
ベンディングされた状態で複数の座席の間に設けられ、映像を表示する運送手段用フレームと、
前記運送手段用フレームのベンディングを制御するベンディング制御部と、を含む運送手段用表示装置。
【請求項２】
前記運送手段用フレームは、
ベンディングされた状態で設けられ、前記映像を表示するフレキシブル表示装置と、
ベンディングされた状態で設けられ、前記映像を表示しない非表示フレームと、
を含み、
前記ベンディング制御部は、前記フレキシブル表示装置のベンディングを制御する請求項１に記載の運送手段用表示装置。
【請求項３】
前記フレキシブル表示装置は、
映像を表示するフレキシブル表示パネルと、
前記フレキシブル表示パネルの上に設けられ、タッチ又は近接タッチを感知するタッチスクリーンパネルと、
を含む請求項２に記載の運送手段用表示装置。
【請求項４】
前記非表示フレームは、ベンディングが開かず、固定されている請求項２に記載の運送手段用表示装置。
【請求項５】
前記フレキシブル表示装置のベンディングが開かれる時、前記非表示フレームのベンディングが開かれる請求項２に記載の運送手段用表示装置。
【請求項６】
前記フレキシブル表示装置のベンディングが開かれる時、
前記フレキシブル表示装置の一端は前記非表示フレームと接触し、
前記フレキシブル表示装置の他端は、ベンディング軸を基準にしてベンディングが開かれて、前記非表示フレームから離隔される請求項２に記載の運送手段用表示装置。
【請求項７】
前記フレキシブル表示装置は、前記ベンディング軸を基準にしてベンディングされた状態及び前記ベンディング軸を基準にしてベンディングが開いた状態のうち少なくとも１つの状態で前記映像を表示する請求項６に記載の運送手段用表示装置。
【請求項８】
前記運送手段用フレームは、前記座席の間に設けられる収納部をカバーする請求項１に記載の運送手段用表示装置。
【請求項９】
前記運送手段用フレームは、使用者のタッチ、使用者の近接タッチ、物体のタッチ又は物体の近接タッチを感知して、前記映像を制御する制御ユニット映像を表示する請求項１に記載の運送手段用表示装置。
【請求項１０】
前記フレキシブル表示装置は、
ベンディングされた状態で設けられる第１フレキシブル表示装置と、
前記第１フレキシブル表示装置と離隔され、ベンディングされた状態で設けられる第２フレキシブル表示装置と、
を含む請求項２に記載の運送手段用表示装置。
【請求項１１】
前記第１フレキシブル表示装置のベンディングが開かれる時、
前記第１フレキシブル表示装置の一端は前記非表示フレームと接触し、
前記第１フレキシブル表示装置の他端は、第１ベンディング軸を基準にしてベンディングが開かれて、前記非表示フレームから離隔される請求項１０に記載の運送手段用表示装置。
【請求項１２】
前記第２フレキシブル表示装置は、ベンディングが開かず、固定されている請求項１０に記載の運送手段用表示装置。
【請求項１３】
前記第１フレキシブル表示装置は、第１曲率半径を有し、
前記第２フレキシブル表示装置は、前記第１曲率半径と異なる第２曲率半径を有する請求項９に記載の運送手段用表示装置。
【請求項１４】
前記第１フレキシブル表示装置は、第１表示映像を表示し、
前記第１フレキシブル表示装置は、
前記第１フレキシブル表示装置のベンディングが開かれる時、前記非表示フレームから離隔される離隔領域と、
前記第１フレキシブル表示装置のベンディングが開かれる時、前記非表示フレームと接触する固定領域と、
を含み、
前記離隔領域は、前記第１表示映像を表示し、
前記固定領域は、前記第１表示映像及び前記第１表示映像を制御する第１制御映像のうち少なくとも１つを表示する請求項１０に記載の運送手段用表示装置。
【請求項１５】
前記フレキシブル表示装置は、前記第１フレキシブル表示装置及び前記第２フレキシブル表示装置の各々と離隔されて設けられる第３フレキシブル表示装置をさらに含む請求項１０に記載の運送手段用表示装置。
【請求項１６】
前記第３フレキシブル表示装置は、ベンディングされた状態で設けられる請求項１５に記載の運送手段用表示装置。
【請求項１７】
前記第３フレキシブル表示装置は、
第３曲率半径を有する請求項１５に記載の運送手段用表示装置。
【請求項１８】
前記第３フレキシブル表示装置のベンディングが開かれる時、
前記第３フレキシブル表示装置の一端は前記非表示フレームと接触し、
前記第３フレキシブル表示装置の他端は、第２ベンディング軸を基準にしてベンディングが開かれて、前記非表示フレームから離隔される請求項１６に記載の運送手段用表示装置。
【請求項１９】
前記第１フレキシブル表示装置、前記第２フレキシブル表示装置、及び前記第３フレキシブル表示装置のうち少なくとも１つは、ベンディングが開かず、固定されている請求項１６に記載の運送手段用表示装置。
【請求項２０】
ベンディングされた状態で運送手段の内部に配置され、映像を表示するフレキシブル表示装置と、
ベンディングされた状態で前記運送手段の内部に配置され、前記フレキシブル表示装置を囲む非表示フレームと、を含む運送手段用表示装置。
【請求項２１】
前記フレキシブル表示装置は、ベンディングが開いた時、映像を表示する請求項２０に記載の運送手段用表示装置。
【請求項２２】
前記非表示フレームは、前記運送手段の内部に固定されている請求項２０に記載の運送手段用表示装置。
【発明の詳細な説明】
【技術分野】
【０００１】
本発明は、運送手段用表示装置に関する。
【背景技術】
【０００２】
最近、運送手段は、忙しい日常に追われる現代人に、自分だけの余裕を持つことができる空間に様変わりすることにより、運送手段以上の意味を有することができる。このような趨勢に合わせて運送手段にも多様な表示装置が搭載されている。
【０００３】
前記表示装置を通じて、実時間の交通情報は勿論、電子メールを送受信したり、インターネットを通して情報を得たり、搭乗者又は運送手段に対して遠隔の診断サービスを受けたりすることができ、音楽やゲーム、ＴＶ視聴、映画の感想等の各種のエンターテイメント等を楽しむことができる。
【先行技術文献】
【特許文献】
【０００４】
【特許文献１】米国特許第８，８９１，０２７号公報
【特許文献２】米国特許第７，１３６，１１５号公報
【特許文献３】米国特許公開第２０１３／０２４１７２０号明細書
【特許文献４】韓国特許第１０−１０９６６４４号公報
【発明の概要】
【発明が解決しようとする課題】
【０００５】
本発明の目的は、運送手段の搭乗者の便宜に合わせて搭乗者に多様な映像情報を提供できる運送手段用表示装置を提供することにある。
【課題を解決するための手段】
【０００６】
本発明の一実施形態による運送手段用表示装置は、運送手段用フレーム、及びベンディング制御部を含む。前記運送手段用フレームは、ベンディング（Ｂｅｎｄｉｎｇ）されて複数の座席の間に設けられ、映像を表示する。前記ベンディング制御部は、前記運送手段用フレームのベンディングを制御する。
【０００７】
前記運送手段用フレームは、フレキシブル表示装置及び非表示フレームを含む。前記フレキシブル表示装置は、ベンディングされた状態で設けられ、前記映像を表示する。前記非表示フレームは、ベンディングされた状態で設けられ、前記映像を表示しない。前記ベンディング制御部は、前記フレキシブル表示装置のベンディングを制御することができる。
【０００８】
前記フレキシブル表示装置は、前記映像を表示するフレキシブル表示パネル及び前記フレキシブル表示パネルの上に設けられ、タッチ又は近接タッチを感知するタッチスクリーンパネルを含むことができる。
【０００９】
前記非表示フレームは、ベンディングが開かず、固定されている。
【００１０】
前記フレキシブル表示装置の一端は、前記非表示フレームと接触する。前記フレキシブル表示装置の他端は、ベンディング軸を基準にしてベンディングが開かれて、前記非表示フレームから離隔される。
【００１１】
前記フレキシブル表示装置は、前記ベンディング軸を基準にしてベンディングされた状態、及び前記ベンディング軸を基準にしてベンディングが開いた状態のうち少なくとも１つの状態で前記映像を表示することができる。
【００１２】
前記運送手段用フレームは、前記座席の間に設けられる収納部をカバーする。
【００１３】
前記運送手段用フレームは、使用者のタッチ、使用者の近接タッチ、物体のタッチ又は物体の近接タッチを感知して、前記映像を制御する制御ユニット映像を表示することができる。
【００１４】
前記フレキシブル表示装置は、第１フレキシブル表示装置及び第２フレキシブル表示装置を含む。前記第１フレキシブル表示装置は、ベンディングされた状態で設けられる。前記第２フレキシブル表示装置は、前記第１フレキシブル表示装置と離隔され、ベンディングされた状態で設けられる。
【００１５】
前記第１フレキシブル表示装置の一端は、前記非表示フレームと接触する。前記第１フレキシブル表示装置の他端は、第１ベンディング軸を基準にしてベンディングが開かれて、前記非表示フレームから離隔される。
【００１６】
前記第２フレキシブル表示装置は、ベンディングが開かず、固定されている。
【００１７】
前記第１フレキシブル表示装置は、第１曲率半径を有し、前記第２フレキシブル表示装置は、前記第１曲率半径と異なる第２曲率半径を有する。
【００１８】
前記第１フレキシブル表示装置は、第１表示映像を表示する。前記第１フレキシブル表示装置は、離隔領域及び固定領域を含む。前記離隔領域は、前記第１フレキシブル表示装置のベンディングが開かれる時、前記非表示フレームから離隔される。前記固定領域は、前記第１フレキシブル表示装置のベンディングが開かれる時、前記非表示フレームと接触する。前記離隔領域は、前記第１表示映像を表示する。前記固定領域は、前記第１表示映像及び前記第１表示映像を制御する第１制御映像のうち少なくとも１つを表示する。
【００１９】
前記フレキシブル表示装置は、第３フレキシブル表示装置をさらに含むことができる。前記第３フレキシブル表示装置は、前記第１フレキシブル表示装置及び前記第２フレキシブル表示装置の各々と離隔されて設けられる。
【００２０】
前記第３フレキシブル表示装置は、ベンディングされた状態で設けられる。
【００２１】
前記第３フレキシブル表示装置は、第３曲率半径を有する。
【００２２】
前記第３フレキシブル表示装置の一端は、前記非表示フレームと接触し、前記第３フレキシブル表示装置の他端は、第２ベンディング軸を基準にしてベンディングが開かれて、前記非表示フレームから離隔される。
【００２３】
前記第１ベンディング軸及び前記第２ベンディング軸は、互いに平行であってよい。
【００２４】
前記第１フレキシブル表示装置、前記第２フレキシブル表示装置及び前記第３フレキシブル表示装置のうち少なくとも１つは、ベンディングが開かず、固定されていることができる。
【００２５】
本発明の一実施形態による運送手段用表示装置は、フレキシブル表示装置及び非表示フレームを含む。前記フレキシブル表示装置は、ベンディングされた状態で運送手段の内部に配置され、映像を表示する。前記非表示フレームは、ベンディングされた状態で前記運送手段の内部に配置され、前記フレキシブル表示装置を囲む。
【００２６】
前記フレキシブル表示装置は、ベンディングが開いた時の映像を表示することができる。
【００２７】
前記非表示フレームは、前記運送手段の内部に固定されている。
【発明の効果】
【００２８】
本発明による運送手段用表示装置によれば、運送手段の搭乗者の便宜に合わせて搭乗者に多様な映像情報を提供することができる。
【図面の簡単な説明】
【００２９】
【図１】本発明の一実施形態による運送手段用表示装置を概略的に示したブロック図である。
【図２Ａ】本発明の一実施形態による運送手段用表示装置を概略的に示した斜視図である。
【図２Ｂ】図２ＡのＩ−Ｉ’線に対応する概略的な断面図である。
【図２Ｃ】図２ＡのＩ−Ｉ’線に対応する概略的な断面図である。
【図２Ｄ】本発明の一実施形態による運送手段用表示装置を概略的に示した斜視図である。
【図２Ｅ】本発明の一実施形態による運送手段用表示装置を概略的に示した斜視図である。
【図２Ｆ】本発明の一実施形態による運送手段用表示装置を概略的に示した斜視図である。
【図２Ｇ】本発明の一実施形態による運送手段用表示装置を概略的に示した斜視図である。
【図３Ａ】本発明の一実施形態による運送手段用表示装置を概略的に示した斜視図である。
【図３Ｂ】図３ＡのＩＩ−ＩＩ’線に対応する概略的な断面図である。
【図３Ｃ】図３ＡのＩＩ−ＩＩ’線に対応する概略的な断面図である。
【図３Ｄ】本発明の一実施形態による運送手段用表示装置を概略的に示した斜視図である。
【図３Ｅ】本発明の一実施形態による運送手段用表示装置を概略的に示した斜視図である。
【図３Ｆ】本発明の一実施形態による運送手段用表示装置を概略的に示した斜視図である。
【図４Ａ】本発明の一実施形態による運送手段用表示装置を概略的に示した斜視図である。
【図４Ｂ】図４ＡのＩＩＩ−ＩＩＩ’線に対応する概略的な断面図である。
【図４Ｃ】図４ＡのＩＩＩ−ＩＩＩ’線に対応する概略的な断面図である。
【図４Ｄ】本発明の一実施形態による運送手段用表示装置を概略的に示した斜視図である。
【図４Ｅ】本発明の一実施形態による運送手段用表示装置を概略的に示した斜視図である。
【図４Ｆ】本発明の一実施形態による運送手段用表示装置を概略的に示した斜視図である。
【図５Ａ】本発明の一実施形態による運送手段用表示装置を概略的に示した斜視図である。
【図５Ｂ】本発明の一実施形態による運送手段用表示装置を概略的に示した斜視図である。
【図５Ｃ】本発明の一実施形態による運送手段用表示装置を概略的に示した斜視図である。
【図５Ｄ】本発明の一実施形態による運送手段用表示装置を概略的に示した斜視図である。
【発明を実施するための形態】
【００３０】
以上の本発明の目的、他の目的、特徴、及び長所は、添付された図面に関連された以下の望ましい実施形態を通じて容易に理解できる。しかし、本発明は、ここで、説明される実施形態に限定されるものではなく、他の形態に具体化されてもよい。むしろ、ここで紹介される実施形態は、通常の技術者に本発明の思想が十分に伝達され得るようにするために提供される。
【００３１】
各図面の説明においては、類似の参照符号を類似の構成要素に対して使用した。添付された図面において、構造物の寸法は、本発明を明確に説明するために実際より拡大して示している。第１、第２等の用語は、多様な構成要素を説明するために使用されるが、構成要素は、これらの用語によって限定されない。これらの用語は、１つの構成要素を他の構成要素から区別する目的のみに使用される。例えば、本発明の権利範囲を逸脱しない範囲で、第１構成要素を第２構成要素と称することができ、同様に第２構成要素も第１構成要素と称されてもよい。単数の表現は、文脈上明確に複数でないと規定されていない限り、複数の表現を含む。
【００３２】
本出願で、“含む”又は“有する”等の用語は、明細書上に記載された特徴、数字、段階、動作、構成要素、部品又はこれらを組合したことが存在することを指定しようとするものであり、１つ又はそれの以上の異なる特徴や数字、段階、動作、構成要素、部分品又はこれらを組合したことの存在又は付加の可能性を予め排除しないこととして理解しなければならない。また、層、膜、領域、板等の部分が他の部分“上に”あるとする場合、これは、他の部分の“直ちに上に”ある場合のみではなく、その中間に他の部分がある場合も含む。反対に層、膜、領域、板等の部分が他の部分“下に”あるとする場合、これは、他の部分の“直ちに下に”ある場合のみではなく、その中間に他の部分がある場合も含む。
【００３３】
以下では、本発明の一実施形態による運送手段用表示装置に対して説明する。
【００３４】
図１は、本発明の一実施形態による運送手段用表示装置１０を概略的に示したブロック図である。
【００３５】
図１を参照すると、本発明の一実施形態による運送手段用表示装置１０は、運送手段に設けられる。例えば、運送手段用表示装置１０は、自転車、バイク、自動車、船、飛行機等に設けることができる。運送手段用表示装置１０は、運送手段の少なくとも１つの構成要素の上に形成されるか、或いは運送手段の少なくとも１つの構成要素と締結されて固定され得る。以下では、運送手段用表示装置１０が自動車に設けられることを例として説明する。
【００３６】
運送手段用表示装置１０は、運送手段用フレーム１００、及びベンディング制御部２００を含む。運送手段用フレーム１００は、ベンディングされた状態で運送手段に設けられる。運送手段用フレーム１００は、複数の座席の間に設けられる。例えば、運送手段用フレーム１００は、運転席及び助手席の間に配置される。但し、これに限定されるものではなく、運送手段用フレーム１００は、座席の間であれば、多様な位置に配置される。
【００３７】
運送手段用フレーム１００は、フレキシブル表示装置１１０（図２Ａ）及び非表示フレーム１５０（図２Ａ）を含む。運送手段用フレーム１００に対しては、より具体的に後述する。
【００３８】
ベンディング制御部２００は、運送手段用フレーム１００のベンディングを制御する。ベンディング制御部２００は、フレキシブル表示装置１１０（図２Ａ）のベンディングを制御する。
【００３９】
ベンディング制御部２００は、運送手段用フレーム１００にベンディング制御信号ＳＢＳを提供して、運送手段用フレーム１００のベンディングを開くことができる。運送手段用フレーム１００は、ベンディングが開かれてベンディング制御部２００に完了信号ＣＢＳを送る。
【００４０】
ベンディング制御部２００は、開かれた運送手段用フレーム１００にベンディング制御信号ＳＢＳを制御して再び、ベンディングさせることができる。運送手段用フレーム１００は、ベンディングされて、ベンディング制御部２００に完了信号ＣＢＳを送る。
【００４１】
図２Ａは、本発明の一実施形態による運送手段用表示装置を概略的に示した斜視図である。
【００４２】
図２Ｂ及び図２Ｃの各々は、図２ＡのＩ−Ｉ’線に対応する概略的な断面図である。
【００４３】
図２Ｄ、図２Ｅ、図２Ｆ、及び図２Ｇは、本発明の一実施形態による運送手段用表示装置を概略的に示した斜視図である。
【００４４】
図２Ａ〜図２Ｇを参照すると、先に言及したように、運送手段用フレーム１００は、フレキシブル表示装置１１０及び非表示フレーム１５０を含む。非表示フレーム１５０は、ベンディングされた状態で設けられ、映像を表示しない。非表示フレーム１５０は、例えば、フレキシブル表示装置１１０を囲むものである。非表示フレーム１５０は、少なくとも一部が透明である。
【００４５】
運送手段用フレーム１００は、座席の間に設けられる収納部をカバーする。例えば、収納部は、コンソールボックス、座席の間のアームレスト型の収納部等であってもよい。運送手段用フレーム１００は、収納部の蓋であってもよく、収納部の蓋の上に形成されてもよい。
【００４６】
フレキシブル表示装置１１０は、フレキシブル表示パネル１１１及びタッチスクリーンパネル１１３を含む。フレキシブル表示パネル１１１は、通常使用されるものであれば、特別に限定しないが、例えば、有機発光表示パネル（ｏｒｇａｎｉｃ  ｌｉｇｈｔ  ｅｍｉｔｔｉｎｇ  ｄｉｓｐｌａｙ  ｐａｎｅｌ）、液晶表示パネル（ｌｉｑｕｉｄ  ｃｒｙｓｔａｌ  ｄｉｓｐｌａｙ  ｐａｎｅｌ）、電氣泳動表示パネル（ｅｌｅｃｔｒｏｐｈｏｒｅｔｉｃ  ｄｉｓｐｌａｙ  ｐａｎｅｌ）、及びエレクトロ・ウェッティング表示パネル（ｅｌｅｃｔｒｏｗｅｔｔｉｎｇ  ｄｉｓｐｌａｙ  ｐａｎｅｌ）からなる群から選択することができる。フレキシブル表示パネル１１１は、２次元の表示パネル又は３次元の表示パネルである。
【００４７】
フレキシブル表示パネル１１１は、フレキシブル表示パネル１１１の上部又は下部に配置される物体を見ることができるように透明に構成される。即ち、フレキシブル表示パネル１１１は、透明なフレキシブル表示パネルであってもよく、例えば、透明な有機発光表示パネル又は透明な液晶表示パネル等であってもよい。フレキシブル表示パネル１１１は、透明であるので、収納部に収納された物体を確認することができる。但し、これに限定されるものではなく、フレキシブル表示パネル１１１は、透明でなくてもよい。
【００４８】
タッチスクリーンパネル１１３は、フレキシブル表示パネル１１１の上に設けられる。タッチスクリーンパネル１１３は、使用者のタッチ、使用者の近接タッチ、物体のタッチ又は物体の近接タッチを認識することができる。近接タッチという意味は、使用者又は物体がタッチスクリーンパネル１１３と直接的に接触しなくても、タッチスクリーンパネル１１３が使用者又は物体がタッチすることとして認識できる距離にあり、タッチスクリーンパネル１１３がタッチを認識することを意味する。
【００４９】
非表示フレーム１５０は、フレキシブル表示装置１１０を囲む。図２Ｂを参照すると、非表示フレーム１５０は、ホールＩＨを含み、フレキシブル表示装置１１０は、非表示フレーム１５０のホールＩＨに配置される。
【００５０】
図示しなかったが、非表示フレーム１５０は、フレキシブル表示装置１１０を囲む第１非表示フレーム、及び運送手段の一つの構成要素と連結されて固定される第２非表示フレームを含んでもよい。例えば、第２非表示フレームは、第１非表示フレームの少なくとも１つの側面と接触する。例えば、第２非表示フレームは、第１非表示フレームを囲む。フレキシブル表示装置１１０のベンディングが開かれる時、第１非表示フレームのベンディングも開くことができる。
【００５１】
非表示フレーム１５０の厚さは、フレキシブル表示装置１１０の厚さと同一である。但し、これに限定されるものではなく、非表示フレーム１５０の厚さは、フレキシブル表示装置１１０の厚さと異なってもよい。
【００５２】
図２Ｃを参照すると、非表示フレーム１５０は、溝ＩＧを含み、フレキシブル表示装置１１０は、非表示フレーム１５０の溝ＩＧに挿入されて提供される。図２Ｃでは、フレキシブル表示装置１１０が溝ＩＧに完全に挿入されるものを例として図示したが、これに限定されるものではなく、フレキシブル表示装置１１０の一部のみが溝ＩＧに挿入され得る。
【００５３】
また、図２Ｂ及び図２Ｃでは、フレキシブル表示パネル１１１の厚さ及びタッチスクリーンパネル１１３の厚さが同一であるものを例として図示したが、これに限定されるものではなく、フレキシブル表示パネル１１１の厚さとタッチスクリーンパネル１１３の厚さとは、互いに異なってもよい。
【００５４】
図２Ａ、図２Ｄ、及び図２Ｅを参照すると、フレキシブル表示装置１１０のベンディングが開かれる時、非表示フレーム１５０のベンディングは、開かず、固定される。図２Ａ、図２Ｄ、及び図２Ｇを参照すると、フレキシブル表示装置１１０のベンディングが開かれる時、非表示フレーム１５０のベンディングも開かれる。
【００５５】
図２Ａ、図２Ｄ、図２Ｅ、図２Ｆ、及び図２Ｇを参照すると、フレキシブル表示装置１１０は、ベンディング軸ＢＸを基準にしてベンディングされた状態、及びベンディング軸ＢＸを基準にしてベンディングが開いた状態のうち少なくとも１つの状態で映像ＩＭＧ＿１、ＩＭＧ＿２を表示する。図２Ｄを参照すると、フレキシブル表示装置１１０は、ベンディング軸ＢＸを基準にしてベンディングされた時、第１映像ＩＭＧ＿１を表示する。第１映像ＩＭＧ＿１は、運送手段の時速、内部温度等の多様な運送手段の情報、運送手段の外部の温度、湿度等の運送手段の外部の情報、ナビゲーション情報、走行情報、運行情報、音楽、ゲーム、ＴＶ、映画等のマルチメディア情報等であってもよい。
【００５６】
図２Ａ、図２Ｅ、図２Ｆ、及び図２Ｇを参照すると、フレキシブル表示装置１１０は、ベンディング軸ＢＸを基準にしてベンディングが開いた時、第２映像ＩＭＧ＿２を表示する。フレキシブル表示装置１１０は、ベンディングが開かれている間にも映像を表示することができる。第２映像ＩＭＧ＿２は、運送手段の時速、内部温度等の多様な運送手段の情報、運送手段の外部の温度、湿度等の運送手段の外部の情報、ナビゲーション情報、走行情報、運行情報、音楽、ゲーム、ＴＶ、映画等のマルチメディア情報等であってもよい。第２映像ＩＭＧ＿２は、第１映像ＩＭＧ＿１と互いに同一であってもよく、互いに異なってもよい。
【００５７】
図２Ａ及び図２Ｄを参照すると、ベンディングされた時のフレキシブル表示装置１１０の両端は、非表示フレーム１５０と接触する。図２Ｅ及び図２Ｆを参照すると、フレキシブル表示装置１１０のベンディングが開かれれば、フレキシブル表示装置１１０の一端は、非表示フレーム１５０と接触し、フレキシブル表示装置１１０の他端は、ベンディング軸ＢＸ（図２Ａ）を基準にしてベンディングが開かれて、非表示フレーム１５０から離隔される。図２Ｃ及び図２Ｄでは、フレキシブル表示装置１１０のベンディングが座席の間でベンディングされた状態から完全に開かれてフラットなことを例として図示したが、これに限定されるものではなく、フレキシブル表示装置１１０のベンディングは、座席の間でベンディングされた状態から一部のみが開かれ得る。
【００５８】
図２Ｅ及び図２Ｆを参照すると、使用者又は物体がフレキシブル表示装置１１０をタッチするか、或いは近接タッチすれば、フレキシブル表示装置１１０に表示される映像を制御できる制御ユニット映像ＣＩが表示される。但し、これに限定されるものではなく、制御ユニット映像ＣＩは、タッチ又は近接タッチに関わらず、表示されてもよい。
【００５９】
制御ユニット映像ＣＩは、第１映像ＩＭＧ＿１（図２Ｄ）又は第２映像ＩＭＧ＿２とオーバーラップするように表示され得る。制御ユニット映像ＣＩが第１映像ＩＭＧ＿１（図２Ｄ）又は第２映像ＩＭＧ＿２とオーバーラップするように表示される時、例えば、第１映像ＩＭＧ＿１（図２Ｄ）のうち制御ユニット映像ＣＩとオーバーラップする部分、第２映像ＩＭＧ＿２のうち制御ユニット映像ＣＩとオーバーラップする部分の明るさは、ぼやけることができる。
【００６０】
使用者は、直接又は物体を通じて制御ユニット映像ＣＩを操作して、フレキシブル表示装置１１０に表示される映像の音、画面の寸法、明暗等、フレキシブル表示装置１１０のベンディング等を調節することができる。制御ユニット映像ＣＩは、フレキシブル表示装置１１０に表示される映像のみではなく、運送手段の構成要素、例えば、サンバイザ、窓、バックミラー等を操作することができる。
【００６１】
制御ユニット映像ＣＩは、複数であってもよい。制御ユニット映像ＣＩが複数である場合、制御ユニット映像ＣＩの各々は、互いに異なる強さの震動を発生させる。
【００６２】
図２Ｆでは、制御ユニット映像ＣＩがフレキシブル表示装置１１０に表示されるものを例として図示したが、これに限定されるものではなく、制御ユニット映像ＣＩではなく、同一の機能を有する制御ユニットとして非表示フレーム１５０等に設けられてもよい。
【００６３】
図３Ａは、本発明の一実施形態による運送手段用表示装置を概略的に示した斜視図である。
【００６４】
図３Ｂ及び図３Ｃの各々は、図３ＡのＩＩ−ＩＩ’線に対応する概略的な断面図である。
【００６５】
図３Ａ、図３Ｂ、及び図３Ｃを参照すると、フレキシブル表示装置１１０は、第１フレキシブル表示装置１２０及び第２フレキシブル表示装置１３０を含む。第１フレキシブル表示装置１２０は、ベンディングされた状態で設けられる。
【００６６】
第１フレキシブル表示装置１２０は、第１フレキシブル表示パネル１２１、及び第１タッチスクリーンパネル１２３を含む。第１フレキシブル表示パネル１２１は、第１フレキシブル表示パネル１２１の上部又は下部に配置される物体を見ることができるように透明に構成される。但し、これに限定されるものではなく、第１フレキシブル表示パネル１２１は、透明でなくてもよい。
【００６７】
第１タッチスクリーンパネル１２３は、第１フレキシブル表示パネル１２１の上に設けられる。第１タッチスクリーンパネル１２３は、使用者のタッチ、使用者の近接タッチ、物体のタッチ又は物体の近接タッチを認識することができる。
【００６８】
第２フレキシブル表示装置１３０は、第２フレキシブル表示パネル１３１及び第２タッチスクリーンパネル１３３を含む。第２フレキシブル表示パネル１３１は、第２フレキシブル表示パネル１３１の上部又は下部に配置される物体を見ることができるように透明に構成される。但し、これに限定されるものではなく、第２フレキシブル表示パネル１３１は、透明でなくてもよい。
【００６９】
第２タッチスクリーンパネル１３３は、第２フレキシブル表示パネル１３１の上に設けられる。第２タッチスクリーンパネル１３３は、使用者のタッチ、使用者の近接タッチ、物体のタッチ又は物体の近接タッチを認識することができる。
【００７０】
図３Ｂ及び図３Ｃでは、第１フレキシブル表示装置１２０が第１タッチスクリーンパネル１２３を含み、第２フレキシブル表示装置１３０が第２タッチスクリーンパネル１３３を含むことを例として説明したが、これに限定されるものではなく、第１フレキシブル表示装置１２０は、第１タッチスクリーンパネル１２３を含まなくでもよく、第２フレキシブル表示装置１３０も第２タッチスクリーンパネル１３３を含まなくともよい。
【００７１】
非表示フレーム１５０は、第１フレキシブル表示装置１２０及び第２フレキシブル表示装置１３０を囲む。以下では、非表示フレーム１５０が一体形に形成されて、第１フレキシブル表示装置１２０及び第２フレキシブル表示装置１３０を囲むことを例として説明したが、これに限定されるものではなく、非表示フレーム１５０は、複数のサブ非表示フレームを含み、１つのサブ非表示フレームが第１フレキシブル表示装置１２０を囲み、他の１つのサブ非表示フレームが第２フレキシブル表示装置１３０を囲んでもよい。複数のサブ非表示フレームは、互いに連結されてもよく、互いに離隔されて配置されてもよい。第１フレキシブル表示装置１２０のベンディング及び第２フレキシブル表示装置１３０のベンディングのうち少なくとも１つのベンディングが開かれる時、サブ非表示フレームのうち少なくとも一部のベンディングが開かれる。
【００７２】
図３Ｂを参照すると、非表示フレーム１５０は、第１ホールＩＨ１及び第２ホールＩＨ２を含み、第１フレキシブル表示装置１２０は、第１ホールＩＨ１に配置され、第２フレキシブル表示装置１３０は、第２ホールＩＨ２に配置される。
【００７３】
非表示フレーム１５０の厚さ、第１フレキシブル表示装置１２０の厚さ、及び第２フレキシブル表示装置１３０の厚さは、互いに同一である。但し、これに限定されるものではなく、非表示フレーム１５０の厚さ、第１フレキシブル表示装置１２０の厚さ、及び第２フレキシブル表示装置１３０の厚さのうち少なくとも１つは、異なるものとすることができる。
【００７４】
図３Ｃを参照すると、非表示フレーム１５０は、第１溝ＩＧ１及び第２溝ＩＧ２を含む。第１フレキシブル表示装置１２０は、第１溝ＩＧ１に挿入されて提供され、第２フレキシブル表示装置１３０は、第２溝ＩＧ２に挿入されて提供される。図３Ｃでは、第１フレキシブル表示装置１２０が第１溝ＩＧ１に完全に挿入され、第２フレキシブル表示装置１３０が第２溝ＩＧ２に完全に挿入されるものを例として図示したが、これに限定されるものではなく、第１フレキシブル表示装置１２０の一部のみが第１溝ＩＧ１に挿入されてもよく、第２フレキシブル表示装置１３０の一部のみが第２溝ＩＧ２に挿入されてもよい。
【００７５】
図３Ｂ及び図３Ｃを参照すると、第１フレキシブル表示装置１２０及び第２フレキシブル表示装置１３０は、図３Ｂ及び図３Ｃに示した配置関係の以外にも、多様に配置され得る。例えば、第１フレキシブル表示装置１２０は、第１ホールＩＨ１に配置され、第２フレキシブル表示装置１３０は、第２溝ＩＧ２に挿入され得る。また、第１フレキシブル表示装置１２０は、第１溝ＩＧ１に挿入され、第２フレキシブル表示装置１３０は、第２ホールＩＨ２に配置されてもよい。
【００７６】
図３Ｄ、図３Ｅ、及び図３Ｆは、本発明の一実施形態による運送手段用表示装置を概略的に示した斜視図である。
【００７７】
図３Ａ、図３Ｄ、図３Ｅ、及び図３Ｆに図示されたエアコン、ヒータ等の吹き出し口、ギヤ調節のスティック等の運送手段の多様な構成要素は、運送手段用表示装置と結合されて一体形に形成され得るとともに、運送手段用表示装置と別個に形成され、運送手段用表示装置に含まれる締結ホール等によって締結され得る。
【００７８】
図３Ａ、図３Ｄ、図３Ｅ、及び図３Ｆを参照すると、第１フレキシブル表示装置１２０は、第１ベンディング軸ＢＸ１を基準にしてベンディングされた状態で設けられる。第１フレキシブル表示装置１２０がベンディングされた状態で設けられる時、第１フレキシブル表示装置１２０は、第１曲率半径Ｒ１を有する。
【００７９】
第１フレキシブル表示装置１２０は、第１表示映像ＩＭＧ１＿１、ＩＭＧ１＿２を表示する。第１表示映像ＩＭＧ１＿１、ＩＭＧ１＿２は、運送手段の時速、内部温度等の多様な運送手段の情報、運送手段の外部の温度、湿度等の運送手段の外部の情報、ナビゲーション情報、走行情報、運行情報、音楽、ゲーム、ＴＶ、映画等のマルチメディア情報等であってもよい。
【００８０】
第１フレキシブル表示装置１２０は、第１ベンディング軸ＢＸ１を基準にしてベンディングされた状態、及び第１ベンディング軸ＢＸ１を基準にしてベンディングが開いた状態のうち少なくとも１つの状態で第１表示映像ＩＭＧ１＿１、ＩＭＧ１＿２を表示する。第１表示映像ＩＭＧ１＿１、ＩＭＧ１＿２は、第１サブ映像ＩＭＧ１＿１及び第２サブ映像ＩＭＧ１＿２を含む。
【００８１】
図３Ｄを参照すると、第１フレキシブル表示装置１２０は、第１ベンディング軸ＢＸ１（図３Ａ）を基準にしてベンディングされた時、第１サブ映像ＩＭＧ１＿１を表示する。第１サブ映像ＩＭＧ１＿１は、運送手段の時速、内部温度等の多様な運送手段の情報、運送手段の外部の温度、湿度等の運送手段の外部の情報、ナビゲーション情報、走行情報、運行情報、音楽、ゲーム、ＴＶ、映画等のマルチメディア情報等であってもよい。
【００８２】
図３Ｅ及び図３Ｆを参照すると、第１フレキシブル表示装置１２０は、第１ベンディング軸ＢＸ１（図３Ａ）を基準にしてベンディングが開いた時、第２サブ映像ＩＭＧ１＿２を表示する。第１フレキシブル表示装置１２０は、ベンディングが開かれている間にも第１表示映像ＩＭＧ１＿１、ＩＭＧ１＿２（図３Ｄ）を表示することができる。第２サブ映像ＩＭＧ１＿２は、運送手段の時速、内部温度等の多様な運送手段の情報、運送手段の外部の温度、湿度等の運送手段の外部の情報、ナビゲーション情報、走行情報、運行情報、音楽、ゲーム、ＴＶ、映画等のマルチメディア情報等であってもよい。第２サブ映像ＩＭＧ１＿２は、第１サブ映像ＩＭＧ１＿１（図３Ｄ）と互いに同一であってもよく、互いに異なってもよい。
【００８３】
図３Ａ及び図３Ｄを参照すると、ベンディングされた時の第１フレキシブル表示装置１２０の両端は、非表示フレーム１５０と接触する。図３Ｅ及び図３Ｆを参照すると、第１フレキシブル表示装置１２０のベンディングが開かれれば、第１フレキシブル表示装置１２０の一端は、非表示フレーム１５０と接触し、第１フレキシブル表示装置１２０の他端は、第１ベンディング軸ＢＸ１（図３Ａ）を基準にしてベンディングが開かれて、非表示フレーム１５０から離隔される。図３Ｅ及び図３Ｆでは、第１フレキシブル表示装置１２０のベンディングが、座席の間でベンディングされた状態から完全に開かれてフラットなことを例として図示したが、これに限定されるものではなく、第１フレキシブル表示装置１２０のベンディングは、座席の間でベンディングされた状態から一部のみが開かれ得る。
【００８４】
図３Ａ、図３Ｄ、図３Ｅ、及び図３Ｆを参照すると、第１フレキシブル表示装置１２０は、第１離隔領域１２２及び第１固定領域１２４を含む。第１離隔領域１２２は、第１ベンディング軸ＢＸ１を基準にして第１フレキシブル表示装置１２０のベンディングが開かれる時、非表示フレーム１５０から離隔される。第１離隔領域１２２は、第１表示映像ＩＭＧ１＿１、ＩＭＧ１＿２を表示する。
【００８５】
第１固定領域１２４は、第１離隔領域１２２の一側面に配置される。第１固定領域１２４は、第１ベンディング軸ＢＸ１を基準にして第１フレキシブル表示装置１２０のベンディングが開かれる時、非表示フレーム１５０と接触する。第１固定領域１２４は、第１表示映像ＩＭＧ１＿１、ＩＭＧ１＿２及び第１表示映像ＩＭＧ１＿１、ＩＭＧ１＿２を制御する第１制御ユニット映像ＣＩ１のうち少なくとも１つを表示する。例えば、使用者又は物体が第１フレキシブル表示装置１２０をタッチするか、或いは近接タッチすれば、第１フレキシブル表示装置１２０に表示される第１表示映像ＩＭＧ１＿１、ＩＭＧ１＿２を制御できる第１制御ユニット映像ＣＩ１が表示される。但し、これに限定されるものではなく、第１制御ユニット映像ＣＩ１は、タッチ又は近接タッチに関わらず、表示され得る。
【００８６】
第１制御ユニット映像ＣＩ１は、第１表示映像ＩＭＧ１＿１、ＩＭＧ１＿２とオーバーラップするように表示される。第１制御ユニット映像ＣＩ１が第１表示映像ＩＭＧ１＿１、ＩＭＧ１＿２とオーバーラップするように表示される時、例えば、第１表示映像ＩＭＧ１＿１、ＩＭＧ１＿２のうち第１制御ユニット映像ＣＩ１とオーバーラップする部分の明るさは、ぼやけることができる。
【００８７】
使用者は、直接又は物体を通じて第１制御ユニット映像ＣＩ１を操作して第１フレキシブル表示装置１２０に表示される第１表示映像ＩＭＧ１＿１、ＩＭＧ１＿２の音、画面の寸法、明暗等、第１フレキシブル表示装置１２０のベンディング等を調節することができる。第１制御ユニット映像ＣＩ１は、第１表示映像ＩＭＧ１＿１、ＩＭＧ１＿２のみではなく、運送手段の構成要素、例えば、サンバイザ、窓、バックミラー等を操作することができる。
【００８８】
第１制御ユニット映像ＣＩ１は、複数であってもよい。第１制御ユニット映像ＣＩ１が複数である場合、第１制御ユニット映像ＣＩ１の各々は、互いに異なる強さの震動を発生させる。
【００８９】
図３Ａ、図３Ｂ、図３Ｃ、図３Ｄ、図３Ｅ、及び図３Ｆを参照すると、第２フレキシブル表示装置１３０は、第１フレキシブル表示装置１２０と離隔され、ベンディングされた状態で設けられる。第２フレキシブル表示装置１３０は、ベンディングが開かず、固定されてもよい。第２フレキシブル表示装置１３０がベンディングされた状態で設けられる時、第２フレキシブル表示装置１３０は、第２曲率半径Ｒ２を有する。第２曲率半径Ｒ２は、第１曲率半径Ｒ１と異なる。但し、これに限定されるものではなく、第２曲率半径Ｒ２は、第１曲率半径Ｒ１と同一であってもよい。
【００９０】
第２フレキシブル表示装置１３０は、第２表示映像ＩＭＧ２を表示する。第２表示映像ＩＭＧ２は、運送手段の時速、内部温度等の多様な運送手段の情報、運送手段の外部の温度、湿度等の運送手段の外部の情報、ナビゲーション情報、走行情報、運行情報、音楽、ゲーム、ＴＶ、映画等のマルチメディア情報等であってもよい。第２表示映像ＩＭＧ２は、第１表示映像ＩＭＧ１＿１、ＩＭＧ１＿２と異なってもよく、同一であってもよい。
【００９１】
図示しなかったが、使用者又は物体が第２フレキシブル表示装置１３０をタッチするか、或いは近接タッチすれば、第２フレキシブル表示装置１３０に表示される第２表示映像ＩＭＧ２を制御できる第２制御ユニット映像が表示される。但し、これに限定されるものではなく、第２制御ユニット映像は、タッチ又は近接タッチに関わらず、表示され得る。
【００９２】
第２制御ユニット映像は、第２表示映像ＩＭＧ２とオーバーラップするように表示される。第２制御ユニット映像が第２表示映像ＩＭＧ２とオーバーラップするように表示される時、例えば、第２表示映像ＩＭＧ２のうち第２制御ユニット映像とオーバーラップする部分の明るさは、ぼやけることができる。
【００９３】
使用者は、直接又は物体を通じて第２制御ユニット映像を操作して第２フレキシブル表示装置１３０に表示される第２表示映像ＩＭＧ２の音、画面の寸法、明暗等、第２フレキシブル表示装置１３０のベンディング等を調節することができる。第２制御ユニット映像は、第２表示映像ＩＭＧ２のみではなく、運送手段の構成要素、例えば、サンバイザ、窓、バックミラー等を操作することができる。
【００９４】
第２制御ユニット映像は、複数であってもよい。第２制御ユニット映像が複数である場合、第２制御ユニット映像の各々は、互いに異なる強さの震動を発生させる。
【００９５】
図４Ａは、本発明の一実施形態による運送手段用表示装置を概略的に示した斜視図である。
【００９６】
図４Ｂ及び図４Ｃの各々は、図４ＡのＩＩＩ−ＩＩＩ’線に対応する概略的な断面図である。
【００９７】
図４Ｄ、図４Ｅ、及び図４Ｆは、本発明の一実施形態による運送手段用表示装置を概略的に示した斜視図である。
【００９８】
図４Ａ、図４Ｄ、図４Ｅ、及び図４Ｆに図示されたエアコン、ヒータ等の吹き出し口、ギヤ調節のスティック等の運送手段の多様な構成要素は、運送手段用表示装置と結合されて一体形に形成され得るとともに、運送手段用表示装置と別個に形成され、運送手段用表示装置に含まれる締結ホール等によって締結され得る。
【００９９】
図４Ａ、図４Ｂ、図４Ｃ、図４Ｄ、図４Ｅ、及び図４Ｆを参照すると、フレキシブル表示装置１１０は、第１フレキシブル表示装置１２０、第２フレキシブル表示装置１３０及び第３フレキシブル表示装置１４０を含む。第１フレキシブル表示装置１２０、第２フレキシブル表示装置１３０，及び第３フレキシブル表示装置１４０のうち少なくとも１つは、ベンディングが開かず、固定されている。
【０１００】
第１フレキシブル表示装置１２０及び第２フレキシブル表示装置１３０は、先に図３Ａ、図３Ｂ、図３Ｃ、図３Ｄ、図３Ｅ、及び図３Ｆを参照して説明したように同一であり、以下では差異点を中心に具体的に説明する。
【０１０１】
第１フレキシブル表示装置１２０は、第１ベンディング軸ＢＸ１を基準にしてベンディングされた状態で設けられる。第１フレキシブル表示装置１２０がベンディングされた状態で設けられる時、第１フレキシブル表示装置１２０は、第１曲率半径Ｒ１を有する。
【０１０２】
第１フレキシブル表示装置１２０は、第１表示映像ＩＭＧ１＿１、ＩＭＧ１＿２を表示する。第１フレキシブル表示装置１２０は、第１離隔領域１２２及び第１固定領域１２４を含む。第１離隔領域１２２は、第１ベンディング軸ＢＸ１を基準にして第１フレキシブル表示装置１２０のベンディングが開かれる時、非表示フレーム１５０から離隔される。第１離隔領域１２２は、第１表示映像ＩＭＧ１＿１、ＩＭＧ１＿２を表示する。
【０１０３】
第１固定領域１２４は、第１離隔領域１２２の一側面に配置される。第１固定領域１２４は、第１ベンディング軸ＢＸ１を基準にして第１フレキシブル表示装置１２０のベンディングが開かれる時、非表示フレーム１５０と接触する。第１固定領域１２４は、第１表示映像ＩＭＧ１＿１、ＩＭＧ１＿２及び第１表示映像ＩＭＧ１＿１、ＩＭＧ１＿２を制御する第１制御ユニット映像ＣＩ１のうち少なくとも１つを表示する。
【０１０４】
第２フレキシブル表示装置１３０は、第１フレキシブル表示装置１２０と離隔され、ベンディングされた状態で設けられる。第２フレキシブル表示装置１３０は、ベンディングが開かず、固定されている。第２フレキシブル表示装置１３０がベンディングされた状態で設けられる時、第２フレキシブル表示装置１３０は、第２曲率半径Ｒ２を有する。第２フレキシブル表示装置１３０は、第２表示映像ＩＭＧ２を表示する。
【０１０５】
第３フレキシブル表示装置１４０は、第１フレキシブル表示装置１２０及び第２フレキシブル表示装置１３０の各々と離隔されて設けられる。第３フレキシブル表示装置１４０は、ベンディングされて、固定されている。第３フレキシブル表示装置１４０は、フラットで、固定されている。
【０１０６】
図４Ｂ及び図４Ｃを参照すると、第３フレキシブル表示装置１４０は、第３フレキシブル表示パネル１４１及び第３タッチスクリーンパネル１４３を含む。第３フレキシブル表示パネル１４１は、第３フレキシブル表示パネル１４１の上部又は下部に配置される物体を見ることができるように透明に構成される。但し、これに限定されるものではなく、第３フレキシブル表示パネル１４１は、透明でなくてもよい。
【０１０７】
第３タッチスクリーンパネル１４３は、第３フレキシブル表示パネル１４１の上に設けられる。第３タッチスクリーンパネル１４３は、使用者のタッチ、使用者の近接タッチ、物体のタッチ又は物体の近接タッチを認識することができる。
【０１０８】
図４Ｂ及び図４Ｃでは、第３フレキシブル表示装置１４０が第３タッチスクリーンパネル１４３を含むことを例として図示したが、これに限定されるものではなく、第３フレキシブル表示装置１４０は、第３タッチスクリーンパネル１４３を含まない場合もある。
【０１０９】
非表示フレーム１５０は、第１フレキシブル表示装置１２０、第２フレキシブル表示装置１３０及び第３フレキシブル表示装置１４０を囲む。以下では、非表示フレーム１５０が一体形に形成されて、第１フレキシブル表示装置１２０、第２フレキシブル表示装置１３０及び第３フレキシブル表示装置１４０を囲むことを例として説明したが、これに限定されるものではなく、非表示フレーム１５０は、複数のサブ非表示フレームを含み、１つのサブ非表示フレームが第１フレキシブル表示装置１２０を囲み、他の１つのサブ非表示フレームが第２フレキシブル表示装置１３０を囲み、その他の１つのサブ非表示フレームが第３フレキシブル表示装置１４０を囲む。また、１つのサブ非表示フレームが第１フレキシブル表示装置１２０を囲み、他の１つのサブ非表示フレームが第２フレキシブル表示装置１３０及び第３フレキシブル表示装置１４０を囲む。複数のサブ非表示フレームは、互いに連結されてもよく、或いは互いに離隔されて配置されてもよい。
【０１１０】
第１フレキシブル表示装置１２０のベンディング、第２フレキシブル表示装置１３０のベンディング及び第３フレキシブル表示装置１４０のベンディングのうち少なくとも１つのベンディングが開かれる時、サブ非表示フレームのうち少なくとも一部のベンディングは、開かれ得る。
【０１１１】
図４Ｂを参照すると、非表示フレーム１５０は、第１ホールＩＨ１、第２ホールＩＨ２、及び第３ホールＩＨ３を含む。第１フレキシブル表示装置１２０は、第１ホールＩＨ１に配置され、第２フレキシブル表示装置１３０は、第２ホールＩＨ２に配置され、第３フレキシブル表示パネル１４１は、第３ホールＩＨ３に配置される。
【０１１２】
非表示フレーム１５０の厚さ、第１フレキシブル表示装置１２０の厚さ、第２フレキシブル表示装置１３０の厚さ及び第３フレキシブル表示装置１４０の厚さは、互いに同一である。但し、これに限定されるものではなく、非表示フレーム１５０の厚さ、第１フレキシブル表示装置１２０の厚さ、第２フレキシブル表示装置１３０の厚さ及び第３フレキシブル表示装置１４０の厚さのうち少なくとも１つは、異なるものとすることができる。
【０１１３】
図４Ｃを参照すると、非表示フレーム１５０は、第１溝ＩＧ１、第２溝ＩＧ２、及び第３溝ＩＧ３を含む。第１フレキシブル表示装置１２０は、第１溝ＩＧ１に挿入されて提供され、第２フレキシブル表示装置１３０は、第２溝ＩＧ２に挿入されて提供され、第３フレキシブル表示装置１４０は、第３溝ＩＧ３に挿入されて提供される。図４Ｃでは、第１フレキシブル表示装置１２０が第１溝ＩＧ１に完全に挿入され、第２フレキシブル表示装置１３０が第２溝ＩＧ２に完全に挿入され、第３フレキシブル表示装置１４０が第３溝ＩＧ３に完全に挿入されるものを例として図示したが、これに限定されるものではなく、第１フレキシブル表示装置１２０の一部のみが第１溝ＩＧ１に挿入されてもよく、第２フレキシブル表示装置１３０の一部のみが第２溝ＩＧ２に挿入されてもよく、第３フレキシブル表示装置１４０の一部のみが第３溝ＩＧ３に挿入されてもよい。
【０１１４】
図４Ｂ及び図４Ｃを参照すると、第１フレキシブル表示装置１２０、第２フレキシブル表示装置１３０及び第３フレキシブル表示装置１４０は、図４Ｂ及び図４Ｃに示した配置関係の以外にも、多様な形態に配置され得る。例えば、第１フレキシブル表示装置１２０は、第１ホールＩＨ１に配置され、第２フレキシブル表示装置１３０は、第２溝ＩＧ２に挿入され、第３フレキシブル表示装置１４０は、第３ホールＩＨ３に配置される。また、第１フレキシブル表示装置１２０は、第１溝ＩＧ１に挿入され、第２フレキシブル表示装置１３０は、第１ホールＩＨ１に配置され、第３フレキシブル表示装置１４０は、第３ホールＩＨ３に配置される。
【０１１５】
再び、図４Ａ、図４Ｂ、図４Ｃ、図４Ｄ、図４Ｅ、及び図４Ｆを参照すると、第３フレキシブル表示装置１４０は、第３表示映像ＩＭＧ３を表示する。第３表示映像ＩＭＧ３は、運送手段の時速、内部温度等の多様な運送手段の情報、運送手段の外部の温度、湿度等の運送手段の外部の情報、ナビゲーション情報、走行情報、運行情報、音楽、ゲーム、ＴＶ、映画等のマルチメディア情報等であってもよい。
【０１１６】
図示しなかったが、使用者又は物体が第３フレキシブル表示装置１４０をタッチするか、或いは近接タッチすれば、第３フレキシブル表示装置１４０に表示される第３表示映像ＩＭＧ３を制御できる第３表示の制御ユニット映像が表示され得る。但し、これに限定されるものではなく、第３表示の制御ユニット映像は、タッチ又は近接タッチに関わらず、表示され得る。
【０１１７】
第３表示の制御ユニット映像は、第３表示映像ＩＭＧ３とオーバーラップするように表示される。第３表示の制御ユニット映像が第３表示映像ＩＭＧ３とオーバーラップするように表示される時、例えば、第３表示映像ＩＭＧ３のうち第３表示の制御ユニット映像とオーバーラップする部分の明るさは、ぼやけることができる。
【０１１８】
使用者は、直接又は物体を通じて第３表示の制御ユニット映像を操作して第３フレキシブル表示装置１４０に表示される第３表示映像ＩＭＧ３の音、画面の寸法、明暗等、第３フレキシブル表示装置１４０のベンディング等を調節することができる。第３表示の制御ユニット映像は、第３表示映像ＩＭＧ３のみではなく、運送手段の構成要素、例えば、サンバイザ、窓、バックミラー等を操作することができる。
【０１１９】
第３表示の制御ユニット映像は、複数であってもよい。第３表示の制御ユニット映像が複数である場合、第３表示の制御ユニット映像の各々は、互いに異なる強さの震動を発生させる。
【０１２０】
図５Ａ、図５Ｂ、図５Ｃ、及び図５Ｄは、本発明の一実施形態による運送手段用表示装置を概略的に示した斜視図である。
【０１２１】
以下では、第１フレキシブル表示装置１２０、第２フレキシブル表示装置１３０及び第３フレキシブル表示装置１４０と関連して、図５Ａ、図５Ｂ、図５Ｃ、及び図５Ｄを参照して説明する。図４Ａ、図４Ｂ、図４Ｃ、図４Ｄ、図４Ｅ、及び図４Ｆを参照して説明した第１フレキシブル表示装置１２０、第２フレキシブル表示装置１３０及び第３フレキシブル表示装置１４０との差異点を中心に具体的に説明する。
【０１２２】
図５Ａ、図５Ｂ、図５Ｃ、及び図５Ｄでは、図示せずが、エアコン、ヒータ等の吹き出し口、ギヤ調節のスティック等の運送手段の多様な構成要素は、運送手段用表示装置と結合されて一体形に形成され得るとともに、運送手段用表示装置と別個に形成され、運送手段用表示装置に含まれる締結ホール等によって締結され得る。
【０１２３】
図５Ａ、図５Ｂ、図５Ｃ、及び図５Ｄを参照すると、第１フレキシブル表示装置１２０は、第１ベンディング軸ＢＸ１を基準にしてベンディングされた状態で設けられる。第１フレキシブル表示装置１２０がベンディングされた状態で設けられる時、第１フレキシブル表示装置１２０は、第１曲率半径Ｒ１を有する。
【０１２４】
第１フレキシブル表示装置１２０は、第１表示映像ＩＭＧ１＿１、ＩＭＧ１＿２を表示する。第１フレキシブル表示装置１２０は、第１離隔領域１２２及び第１固定領域１２４を含む。第１離隔領域１２２は、第１ベンディング軸ＢＸ１を基準にして第１フレキシブル表示装置１２０のベンディングが開かれる時、非表示フレーム１５０から離隔される。第１離隔領域１２２は、第１表示映像ＩＭＧ１＿１、ＩＭＧ１＿２を表示する。
【０１２５】
第１固定領域１２４は、第１離隔領域１２２の一側面に配置される。第１固定領域１２４は、第１ベンディング軸ＢＸ１を基準にして第１フレキシブル表示装置１２０のベンディングが開かれる時、非表示フレーム１５０と接触する。第１固定領域１２４は、第１表示映像ＩＭＧ１＿１、ＩＭＧ１＿２及び第１表示映像ＩＭＧ１＿１、ＩＭＧ１＿２を制御する第１制御ユニット映像ＣＩ１のうち少なくとも１つを表示する。
【０１２６】
第２フレキシブル表示装置１３０は、第１フレキシブル表示装置１２０と離隔され、ベンディングされた状態で設けられる。第２フレキシブル表示装置１３０は、ベンディングが開かず、固定されている。第２フレキシブル表示装置１３０がベンディングされた状態で設けられる時、第２フレキシブル表示装置１３０は、第２曲率半径Ｒ２を有する。第２フレキシブル表示装置１３０は、第２表示映像ＩＭＧ２を表示する。
【０１２７】
図５Ａ、図５Ｂ、図５Ｃ、及び図５Ｄを参照すると、第３フレキシブル表示装置１４０は、第２ベンディング軸ＢＸ２を基準にしてベンディングされた状態で設けられる。第２ベンディング軸ＢＸ２は、第１ベンディング軸ＢＸ１と平行であってもよい。第３フレキシブル表示装置１４０がベンディングされた状態で設けられる時、第３フレキシブル表示装置１４０は、第３曲率半径Ｒ３を有する。第３曲率半径Ｒ３は、第１曲率半径Ｒ１及び第２曲率半径Ｒ２の各々と異なる。但し、これに限定されるものではなく、第３曲率半径Ｒ３は、第１曲率半径Ｒ１及び第２曲率半径Ｒ２のうち少なくとも１つと同一であることができる。
【０１２８】
第３フレキシブル表示装置１４０は、第３映像ＩＭＧ３＿１、ＩＭＧ３＿２を表示する。第３映像ＩＭＧ３＿１、ＩＭＧ３＿２は、運送手段の時速、内部温度等の多様な運送手段の情報、運送手段の外部の温度、湿度等の運送手段の外部の情報、ナビゲーション情報、走行情報、運行情報、音楽、ゲーム、ＴＶ、映画等のマルチメディア情報等であってもよい。
【０１２９】
図５Ａ、図５Ｂ、図５Ｃ、及び図５Ｄを参照すると、第３フレキシブル表示装置１４０は、第２ベンディング軸ＢＸ２を基準にしてベンディングされた状態、及び第２ベンディング軸ＢＸ２を基準にしてベンディングが開いた状態のうち少なくとも１つの状態で第３映像ＩＭＧ３＿１、ＩＭＧ３＿２を表示する。第３映像ＩＭＧ３＿１、ＩＭＧ３＿２は、第３サブ映像ＩＭＧ３＿１及び第４サブ映像ＩＭＧ３＿２を含む。
【０１３０】
図５Ｂを参照すると、第３フレキシブル表示装置１４０は、第２ベンディング軸ＢＸ２（図５Ａ）を基準にしてベンディングされた時、第３サブ映像ＩＭＧ３＿１を表示する。第３サブ映像ＩＭＧ３＿１は、運送手段の時速、内部温度等の多様な運送手段の情報、運送手段の外部の温度、湿度等の運送手段の外部の情報、ナビゲーション情報、走行情報、運行情報、音楽、ゲーム、ＴＶ、映画等のマルチメディア情報等であってもよい。
【０１３１】
図５Ｃ及び図５Ｄを参照すると、第３フレキシブル表示装置１４０は、第２ベンディング軸ＢＸ２（図５Ａ）を基準にしてベンディングが開いた時、第４サブ映像ＩＭＧ３＿２を表示する。第３フレキシブル表示装置１４０は、ベンディングが開かれている間にも第３映像ＩＭＧ３＿１、ＩＭＧ３＿２（図５Ｂ）を表示することができる。第４サブ映像ＩＭＧ３＿２は、運送手段の時速、内部温度等の多様な運送手段の情報、運送手段の外部の温度、湿度等の運送手段の外部の情報、ナビゲーション情報、走行情報、運行情報、音楽、ゲーム、ＴＶ、映画等のマルチメディア情報等であってもよい。第４サブ映像ＩＭＧ３＿２は、第３サブ映像ＩＭＧ３＿１（図５Ｂ）と互いに同一であってもよく、互いに異なってもよい。
【０１３２】
図５Ａ及び図５Ｂを参照すると、ベンディングされた状態で設けられる時の第３フレキシブル表示装置１４０の両端は、非表示フレーム１５０と接触する。図５Ｃ及び図５Ｄを参照すると、第３フレキシブル表示装置１４０のベンディングが開かれれば、第３フレキシブル表示装置１４０の一端は、非表示フレーム１５０と接触し、第３フレキシブル表示装置１４０の他端は、第２ベンディング軸ＢＸ２を基準にしてベンディングが開かれて、非表示フレーム１５０から離隔される。図５Ｃ及び図５Ｄでは、第３フレキシブル表示装置１４０のベンディングが、座席の間でベンディングされた状態から完全に開かれてフラットなことを例として図示したが、これに限定されるものではなく、第３フレキシブル表示装置１４０のベンディングは、座席の間でベンディングされた状態から一部のみが開かれ得る。
【０１３３】
図５Ａ、図５Ｂ、図５Ｃ、及び図５Ｄを参照すると、第３フレキシブル表示装置１４０は、第２離隔領域１４２及び第２固定領域１４４を含む。第２離隔領域１４２は、第２ベンディング軸ＢＸ２を基準にして第３フレキシブル表示装置１４０のベンディングが開かれる時、非表示フレーム１５０から離隔される。第２離隔領域１４２は、第３映像ＩＭＧ３＿１、ＩＭＧ３＿２（図５Ｂ）を表示する。
【０１３４】
第２固定領域１４４は、第２離隔領域１４２の一側面に配置される。第２固定領域１４４は、第２ベンディング軸ＢＸ２を基準にして第３フレキシブル表示装置１４０のベンディングが開かれる時、非表示フレーム１５０と接触する。第２固定領域１４４は、第３映像ＩＭＧ３＿１、ＩＭＧ３＿２及び第３映像ＩＭＧ３＿１、ＩＭＧ３＿２を制御する第３制御ユニット映像ＣＩ２のうち少なくとも１つを表示する。例えば、使用者又は物体が第３フレキシブル表示装置１４０をタッチするか、或いは近接タッチすれば、第３フレキシブル表示装置１４０に表示される第３映像ＩＭＧ３＿１、ＩＭＧ３＿２を制御できる第３制御ユニット映像ＣＩ２が表示され得る。但し、これに限定されるものではなく、第３制御ユニット映像ＣＩ２は、タッチ又は近接タッチに関わらず、表示され得る。
【０１３５】
第３制御ユニット映像ＣＩ２は、第３映像ＩＭＧ３＿１、ＩＭＧ３＿２とオーバーラップするように表示される。第３制御ユニット映像ＣＩ２が第３映像ＩＭＧ３＿１、ＩＭＧ３＿２とオーバーラップするように表示される時、例えば、第３映像ＩＭＧ３＿１、ＩＭＧ３＿２のうち第３制御ユニット映像ＣＩ２とオーバーラップする部分の明るさは、ぼやけることができる。
【０１３６】
使用者は、直接又は物体を通じて第３制御ユニット映像ＣＩ２を操作して第３フレキシブル表示装置１４０に表示される第３映像ＩＭＧ３＿１、ＩＭＧ３＿２の音、画面の寸法、明暗等、第３フレキシブル表示装置１４０のベンディング等を調節することができる。第３制御ユニット映像ＣＩ２は、第３映像ＩＭＧ３＿１、ＩＭＧ３＿２のみではなく、運送手段の構成要素、例えば、サンバイザ、窓、バックミラー等を操作することができる。
【０１３７】
第３制御ユニット映像ＣＩ２は、複数であってもよい。第３制御ユニット映像ＣＩ２が複数である場合、第３制御ユニット映像ＣＩ２の各々は、互いに異なる強さの震動を発生させる。
【０１３８】
本発明の一実施形態による運送手段用表示装置は、運送手段に配置されて、搭乗者の便宜に合わせてベンディングされた状態又はベンディングが開かれた状態で多様な映像を表示することができる。したがって搭乗者は、運送手段を利用しながら、多様な映像情報を得ることができる。
【０１３９】
以上、添付された図面を参照して本発明の実施形態を説明したが、本発明が属する技術分野における通常の知識を有する者であれば、技術的思想や必須の特徴を変更せずに本発明を他の具体的な形態に適用することができることを理解することができる。したがって、上述した実施形態は、すべての面で例示的なものであり、限定的なものではないと理解しなければならない。
【符号の説明】
【０１４０】
１０  運送手段用表示装置
１００  運送手段用フレーム
１１０  フレキシブル表示装置
１２０  第１フレキシブル表示装置
１３０  第２フレキシブル表示装置
１４０  第３フレキシブル表示装置
１５０  非表示フレーム
【図１】
2016159903.tif 000003
【図２Ａ】
2016159903.tif 000004
【図２Ｂ】
2016159903.tif 000005
【図２Ｃ】
2016159903.tif 000006
【図２Ｄ】
2016159903.tif 000007
【図２Ｅ】
2016159903.tif 000008
【図２Ｆ】
2016159903.tif 000009
【図２Ｇ】
2016159903.tif 000010
【図３Ａ】
2016159903.tif 000011
【図３Ｂ】
2016159903.tif 000012
【図３Ｃ】
2016159903.tif 000013
【図３Ｄ】
2016159903.tif 000014
【図３Ｅ】
2016159903.tif 000015
【図３Ｆ】
2016159903.tif 000016
【図４Ａ】
2016159903.tif 000017
【図４Ｂ】
2016159903.tif 000018
【図４Ｃ】
2016159903.tif 000019
【図４Ｄ】
2016159903.tif 000020
【図４Ｅ】
2016159903.tif 000021
【図４Ｆ】
2016159903.tif 000022
【図５Ａ】
2016159903.tif 000023
【図５Ｂ】
2016159903.tif 000024
【図５Ｃ】
2016159903.tif 000025
【図５Ｄ】
2016159903.tif 000026